(57)【要約】【課題】  視聴期限や地域限定などの視聴の制限があるデータ放送番組が送出されないようにして、放送波帯域を有効に活用することが可能なデジタル放送装置を提供する。【解決手段】  デジタル放送装置は、データ放送番組を番組素材として制作する番組素材制作手段と、データ放送番組を放送する際の編成情報を確定する番組編成手段と、番組編成手段によって確定された編成情報に基づいて番組素材制作手段により制作された番組素材を送出する番組送出手段とを備え、番組素材制作手段は、制作した各番組素材の全体あるいは一部に対して視聴制限属性を設定し、番組送出手段は番組素材制作手段により設定された視聴制限属性と番組編成手段とにより確定された編成情報とに基づいて、放送可能な番組素材を保持し、送出時刻順に送出することで、データ放送番組の放送を行うことを特徴とする。【選択図】      図１
2005295525.tif 000002
【特許請求の範囲】
【請求項１】
データ放送番組を番組素材として制作する番組素材制作手段と、
データ放送番組を放送する際の編成情報を確定する番組編成手段と、
前記番組編成手段によって確定された編成情報に基づいて前記番組素材制作手段により制作された番組素材を送出する番組送出手段と、
を備え、前記番組素材制作手段は、制作した各番組素材の全体あるいは一部に対して視聴制限属性を設定し、前記番組送出手段は前記番組素材制作手段により設定された視聴制限属性と前記番組編成手段により確定された編成情報とに基づいて、放送可能な番組素材を保持し、送出時刻順に送出することで、データ放送番組の放送を行うことを特徴とするデジタル放送装置。
【請求項２】
前記番組送出手段は、データ放送番組として放送可能な視聴制限属性を有する番組素材を保持しており、番組編成手段から編成情報が登録された際に、視聴制限属性が再放送不可であるようなデータ放送番組が前記編成情報に含まれている場合には、前記放送可能な視聴制限属性を有する番組素材と差し替えて放送することを特徴とする、請求項１に記載のデジタル放送装置。
【請求項３】
データ放送番組を番組素材として制作する段階と、
前記番組素材の全体あるいは一部に視聴制限属性を設定する段階と、
データ放送番組を放送する際の編成情報を確定する段階と、
前記番組編成情報と前記番組素材の視聴制限属性とに基づいて放送可能な番組素材を保持し、送出時刻順に送出することで、データ放送番組の放送を行う段階と、
を含むことを特徴とするデジタル放送方法。
【請求項４】
データ放送番組として放送可能な視聴制限属性を有する番組素材を保持する段階と、
視聴制限属性が再放送不可であるようなデータ放送番組が編成情報に含まれている場合には、前記放送可能な視聴制限属性を有する番組素材と差し替えて放送する段階と、
をさらに含む、請求項３に記載のデジタル放送方法。
【発明の詳細な説明】
【技術分野】
【０００１】
本発明は、データ放送番組が付加されたデジタル放送番組またはデータ放送単独でのデジタル放送番組を放送するためのデジタル放送装置およびデジタル放送方法に関する。
【背景技術】
【０００２】
デジタル放送番組に付加してもしくは単独でデータ放送番組を放送する場合、「デジタル放送におけるデータ放送符号化方式と伝送方式」に関する標準規格  ARIB（Association of Radio Industries and Businesses：社団法人電波産業会）STD-B24  4.0版の第三編6.2.3.7項に規定されるExpire記述子を用いて、データ放送番組の構成要素毎に視聴期限を付与して放送し、受信機側で視聴期限が切れている部分の視聴を制限することによって、データ放送番組の視聴可否を指定することが可能である（例えば、非特許文献１参照）。
【０００３】
このようなExpire記述子を用いる手法に代えて、受信機のスクリプト機能を用いて、受信機側において、データ放送番組中の視聴期限が切れている部分についての視聴を制限する手法も知られている。たとえば、ECMA（European Computer Manufacturer Association：ヨーロッパ電子計算機工業会）-262に規定されているDateオブジェクトを用いて現在時刻を取得し、取得した時刻に応じてCSS（Cascading Style Sheet）規格に規定されるvisibility特性を用いて、データ放送番組中の視聴期限が切れている部分について表示を変更したり、あるいは視聴期限が切れている部分の文書遷移を制限したりすることが可能である（例えば、非特許文献２、非特許文献３参照）。
【０００４】
さらに、現在有効なデータの一覧を受信機に送付し、この一覧に基づいて受信機上で保持しているデータのうち、一覧に記載されていないデータ、すなわち有効でないデータを削除する手法が特許文献１に開示されている。この手法によれば、データ自体に有効期限を付与することなく有効期限切れのデータを削除することが可能となる。
【特許文献１】特開2002-176402号公報
【非特許文献１】デジタル放送におけるデータ放送符号化方式と伝送方式  標準規格  ARIB  STD-B24  4.0版（第三分冊）、社団法人電波産業会、平成16年2月
【非特許文献２】"ECMAScript Language Specification"、Standard ECMA-262 3rd Edition-December 1999、[online]、[平成17年2月23日検索]、インターネット<URL：  http://www.ecma-international.org/publications/files/ECMA-ST/Ecma-262.pdf>
【非特許文献３】"Cascading Style Sheets, level 2, CSS2 Specification"、 W3C Recommendation 12-May-1998、[online]、[平成17年2月23日検索]、インターネット<URL：  http://www.w3.org/TR/REC-CSS2/>
【発明の開示】
【発明が解決しようとする課題】
【０００５】
上述したような手法を用いてデジタル放送番組に付加してもしくは単独でデータ放送番組を放送する場合、いずれの場合もデータ放送番組の視聴期限を受信機上で判断する必要があり、受信機の負荷が大きいという問題がある。また、視聴期限が過ぎて視聴できなくなったデータ放送番組が伝送されるため、放送波に用いることができる帯域を無駄に消費してしまうという問題がある。
【０００６】
本発明は、デジタル放送番組にデータ放送番組を付加してもしくはデータ放送番組を単独で放送するデジタル放送装置において、視聴期限や地域限定などの視聴の制限があるデータ放送番組が送出されないようにして、放送波帯域を有効に活用することが可能なデジタル放送装置に関する。
【課題を解決するための手段】
【０００７】
本発明の請求項１に係るデジタル放送装置は、データ放送番組の番組素材を制作する番組素材制作手段と、データ放送番組を放送する際の編成情報を確定する番組編成手段と、番組編成手段によって確定された編成情報に基づいて番組素材制作手段により制作された番組素材をデータ放送番組として送出する番組送出手段とを備え、番組素材制作手段は、制作した各番組素材の全体あるいは一部に対して視聴制限属性を設定し、番組送出手段は番組素材制作手段により設定された視聴制限属性と番組編成手段により確定された編成情報とに基づいて、放送可能な番組素材を保持し、送出時刻順に送出することで、データ放送番組の放送を行うことを特徴とする。
【０００８】
この場合、視聴制限属性に基づいてデータ放送番組の放送を制限することが可能であり、たとえば、視聴制限属性として視聴期限を設定することにより、この期限を超えた番組素材をデータ放送番組として放送することを制限して、放送波帯域を無駄にすることなく、有効に利用することが可能となる。
【０００９】
本発明の請求項２に係るデジタル放送装置は請求項１に記載のデジタル放送装置であって、番組送出手段は、データ放送番組として放送可能な視聴制限属性を有する番組素材を保持しており、番組編成手段から編成情報が登録された際に、前回放送した際の視聴制限属性が再放送不可であるようなデータ放送番組が編成情報に含まれている場合には、放送可能な視聴制限属性を有する番組素材と差し替えて放送することを特徴とする。
【００１０】
この場合、データ放送番組が前回放送された際に付与された視聴制限属性が再放送不可であるような場合には、その番組素材を、放送可能な視聴制限属性を有する番組素材と差し替えることにより、放送波帯域を有効に活用することが可能となる。ここで、再放送とは、データ放送番組をデジタル放送番組に付加してもしくは単独で放送した後、同一のデータ放送番組を放送する２回目以降のことを意味する。この場合、データ放送番組には、プレゼントのお知らせなどに代表される視聴期限（有効期限）に制約のあるものが存在し、このような視聴期限に制約があるデータ放送番組を再放送する際に、データ放送番組の視聴期限が過ぎているような場合には、他の放送可能なデータ放送番組と差し替えて放送するように構成できる。データ放送番組に付与される視聴制限属性には、視聴期限の他に放送回数を制限するような視聴制限属性を設定することも可能であり、また放送を行う地域により放送の可・不可を設定するような視聴制限属性を設定することも可能である。
【００１１】
本発明の請求項３に記載のデジタル放送方法は、データ放送番組を番組素材として制作する段階と、番組素材の全体あるいは一部に視聴制限属性を設定する段階と、データ放送番組を放送する際の編成情報を確定する段階と、編成情報と番組素材の視聴制限属性とに基づいて放送可能な番組素材を送出時刻順に保持し、送出時刻順に送出することで、データ放送番組の放送を行う段階とを含むことを特徴とする。
【００１２】
この場合、視聴制限属性に基づいてデータ放送番組の放送を制限することが可能であり、放送波帯域を無駄にすることなく、有効に利用することが可能となる。
【００１３】
本発明の請求項４に係るデジタル放送方法は請求項３に記載のデジタル放送方法であって、データ放送番組として放送可能な視聴制限属性を有する番組素材を保持する段階と、前回放送した際の視聴制限属性が再放送不可であるようなデータ放送番組が編成情報に含まれている場合には、放送可能な視聴制限属性を有する番組素材と差し替えて放送する段階とをさらに含むことを特徴とする。
【００１４】
この場合、データ放送番組が前回放送された際に付与された視聴制限属性が再放送不可であるような場合には、その番組素材を、放送可能な視聴制限属性を有する番組素材と差し替えることにより、放送波帯域を有効に活用することが可能となる。
【００１５】
本発明は、上述のデジタル放送装置を備えたシステムもまた包含する。さらに、本発明は、上述のデジタル放送方法を実行するためのプログラム、またはこのプログラムを記録した記録媒体を包含する。
【発明の効果】
【００１６】
本発明によれば、デジタル放送番組に付加してもしくは単独でデータ放送番組を再放送する際に、視聴されるべきでないデータ放送番組が含まれる場合に、番組素材を加工することなく、実際には視聴することのできないデータ放送番組が送出されることを防止し、放送時における放送波帯域を有効に活用することが可能となる。
【発明を実施するための最良の形態】
【００１７】
〈第１実施形態〉
本発明の第１実施形態のデジタル放送装置の概略構成を示す機能ブロック図を図１に示す。
【００１８】
本発明に係るデジタル放送装置は、番組素材制作手段101、番組編成手段102、番組送出手段103を備えている。
【００１９】
番組素材制作手段101は、デジタル放送番組に付加されてもしくは単独で放送可能なデータ放送番組を番組素材として制作するものであって、制作された番組素材は番組送出手段103に登録される。このとき、番組素材制作手段101は、制作した各番組素材に対して、たとえば、再放送が可能であるか不可であるかを示す視聴制限属性を設定し、この視聴制限属性とともに各番組素材を番組送出手段103に登録する。ここで、再放送とは、デジタル放送番組に付加してもしくは単独でデータ放送番組の放送を行った後、同じデータ放送番組を放送する２回目以降の放送時のことを総称する。このとき、１回目に放送されたデータ放送番組には、プレゼントのお知らせに代表されるような視聴期限に関する制限やその他放送回数や放送地域による制限などの視聴制限属性を設定することができる。
【００２０】
番組編成手段102は、データ放送番組を放送する際の編成情報を確定するものであって、データ放送番組が放送される前に、確定した編成情報を放送番組送出手段103に登録する。
【００２１】
番組送出手段103は、番組素材制作手段101から登録された番組素材に関して、番組編成手段102から登録された編成情報と、番組素材に設定されている視聴制限属性とに基づいて、放送が可能な番組素材であるか否かを判定し、放送可能である番組素材を送出することによりデータ放送番組の放送を行う。
【００２２】
番組素材制作手段101が制作する番組素材の管理情報テーブルの一例を図２に示す。
【００２３】
この管理情報テーブル20は、番組素材名21、番組時間長22、構成要素名23、相対送出時刻24、視聴可否属性25、視聴期限26などの項目で構成されている。ここで、相対送出時刻とは、放送開始時刻を原点とした、構成要素毎の送出時刻のことを意味する。図示した例では、「ドラマ」という番組素材名201を有する番組素材は、「01:00:00」という番組時間長202を有し、「出演者情報１」という構成要素203、「出演者情報２」という構成要素204、「プレゼント」という構成要素205によって構成される番組素材である。構成要素203は「00:00:00」という相対送出時刻206、「再放送可能」という視聴可否属性209とを備え、構成要素204は「00:30:00」という相対送出時刻207、「再放送可能」という視聴可否属性210とを備え、構成要素205は「00:55:00」という相対送出時刻208、「再放送不可能」という視聴可否属性211、「2000年１月１日」という視聴期限212を備えている。ここでは、視聴可否属性と視聴期限の２つの項目で視聴制限属性を構成している。
【００２４】
番組編成手段102が決定する編成情報テーブルの一例を図３に示す。
【００２５】
編成情報テーブル30は、番組素材名31、放送年月日32、放送開始時刻33などの項目で構成されている。図示した例では、「ドラマ」という番組素材名201を有する番組素材が、「2000年１月１日」という放送年月日301を有し、「21:00:00」という放送開始時刻302を有していることを示している。
【００２６】
この第１実施形態において、番組送出手段103がデータ放送番組を放送する場合の動作を示すフローチャートを図４に示す。
【００２７】
まず、たとえば、データ放送番組を１回目に放送するなど、データ放送番組が全て放送される場合の例を以下に示す。
【００２８】
ステップS401では、番組送出手段103は、番組素材制作手段101によって制作された番組素材を受信する。たとえば、番組送出手段103は、番組素材制作手段101から図２の管理情報を有する番組素材を受信する。
【００２９】
ステップS402では、番組送出手段103は、番組編成手段102から編成情報を受信する。たとえば、番組送出手段103は、番組編成手段102から図３に示すような編成情報を受信する。
【００３０】
番組送出手段103は、受信した編成情報と受信した番組素材の視聴可否属性とに基づいて、再放送可能でない構成要素の番組素材を検出し（ステップS403）、これを除く再放送可能な構成要素の番組素材を、その相対送出時刻順にバッファ上で１個のキューとして保持する（ステップS404）。たとえば、番組送出手段103は、図３の編成情報テーブル30中の放送年月日301と放送開始時刻302とで特定される2000年１月１日の21時00分00秒には、図２の番組素材の管理情報テーブル20中における構成要素205の視聴期限212を経過していないことから全ての構成要素が再放送可能であると判断し、管理情報テーブル20中の構成要素203〜205の各番組素材をその相対送出時刻順にバッファ上で１個のキューとして保持する。
【００３１】
ステップS405では、番組送出手段103は、内部に保有している時計から取得した現在日時と受信した編成情報とに基づいて放送開始時刻に至った番組素材を取得する。たとえば、番組送出手段103は、放送年月日301と放送開始時刻302とで特定される2000年１月１日の21時00分00秒に、構成要素203〜205の番組素材を取得する。
【００３２】
ステップS406では、番組送出手段103は、相対送出時刻が「00:00:00」である構成要素に対応する番組素材の送出を開始する。ここでは、番組送出手段103は、構成要素203の番組素材の送出を開始する。
【００３３】
ステップS407では、番組送出手段103は、内部に保有している時計から算出される放送開始時刻を原点とした相対時刻と、受信した管理情報とに基づいて番組時間長を経過しているか否かを判別し、番組時間長を経過したと判断した場合には、現在送出している番組素材の送出を停止するとともに処理を終了する。たとえば、番組送出手段103は、番組素材の管理情報テーブル20中の番組時間長202を経過しているか否かを判断し、番組時間長202を経過していると判断した場合には、番組素材の送出を停止して処理を終了し、そうでない場合にはステップS408に移行する。
【００３４】
ステップS408では、番組送出手段103は、受信した管理情報に基づいて未送出の構成要素があるか否かを判断する。番組送出手段103は、未送出の構成要素が存在しないと判断した場合にはステップS407に移行し、未送出の構成要素が存在すると判断した場合にはステップS409に移行する。
【００３５】
ステップS409では、番組送出手段103は、内部に保有している時計から算出される放送開始時刻を原点とした相対時刻と、受信した管理情報とに基づいて未送出の構成要素の送出開始時刻に到達したか否かを判別する。番組送出手段103は、未送出の構成要素の送出時刻に到達したと判断した場合には、ステップS410に移行し、そうでない場合にはステップS408に移行する。
【００３６】
ステップS410では、番組送出手段103は、図２に示す番組素材の管理情報テーブル20の構成要素204が未送出である場合に、図３の編成情報テーブル30の放送年月日301と図２の管理情報テーブル20の相対送出時刻207とで特定される2000年１月１日21時30分00秒に、構成要素204の番組素材の送出を開始する一方、現在時刻が2000年１月１日21時30分00秒に到達していない場合にはステップS408に移行する。また、たとえば、番組送出手段103は、構成要素205が未送出である場合には、図３の編成情報テーブル30の放送年月日301と図２の管理情報テーブル20の相対送出時刻208とで特定される2000年１月１日21時55分00秒に、構成要素205の番組素材の送出を開始する。
【００３７】
次に、たとえば、放送済みのデータ放送番組を再放送するなど、データ放送番組の一部が放送されない場合の例を以下に示す。
【００３８】
図５は、番組編成手段102が確定する編成情報の一例を示す図であり、番組素材名201を持つ番組素材が、「2000年１月10日」という放送年月日501を有し、「15:00:00」という放送開始時刻502を有していることを表している。
【００３９】
番組送出手段103が、図５に示すような編成情報に基づいてデータ放送番組を放送する場合についても、前述と同様にして、図４のフローチャートに基づいて処理される。
【００４０】
ステップS401では、番組送出手段103は、番組素材制作手段101によって制作された番組素材を受信する。たとえば、番組送出手段103は、番組素材制作手段101から図２の管理情報を有する番組素材を受信する。
【００４１】
ステップS402では、番組送出手段103は、番組編成手段102から編成情報を受信する。ここでは、番組送出手段103は、番組編成手段102から図５に示すような編成情報を受信する。
【００４２】
番組送出手段103は、受信した編成情報と受信した番組素材の視聴可否属性とに基づいて、再放送可能でない構成要素の番組素材を検出し（ステップS403）、これを除く再放送可能な構成要素の番組素材を、その相対送出時刻順にバッファ上で１個のキューとして保持する（ステップS404）。たとえば、番組送出手段103は、図５の編成情報テーブル50中の放送年月日501と放送開始時刻502とで特定される2000年１月10日の15時00分00秒に、図２の番組素材の管理情報テーブル20中における構成要素205の視聴期限212を経過していることから構成要素205は再放送可能でないと判断し、これを除く構成要素203および構成要素204の番組素材を相対送出時刻順にバッファ上で１個のキューとして保持する。
【００４３】
ステップS405では、番組送出手段103は、内部に保有している時計から取得した現在日時と受信した編成情報とに基づいて放送開始時刻に至った番組素材を取得する。たとえば、番組送出手段103は、放送年月日501と放送開始時刻502とで特定される2000年１月10日の15時00分00秒に、構成要素203〜204の番組素材を取得する。
【００４４】
ステップS406では、番組送出手段103は、相対送出時刻が「00:00:00」である構成要素に対応する番組素材の送出を開始する。ここでは、番組送出手段103は、構成要素203の番組素材の送出を開始する。
【００４５】
ステップS407では、番組送出手段103は、内部に保有している時計から算出される放送開始時刻を原点とした相対時刻と、受信した管理情報とに基づいて番組時間長を経過しているか否かを判別し、番組時間長を経過したと判断した場合には、現在送出している番組素材の送出を停止するとともに処理を終了する。たとえば、番組送出手段103は、番組素材の管理情報テーブル20中の番組時間長202を経過しているか否かを判断し、番組時間長202を経過していると判断した場合には、番組素材の送出を停止して処理を終了し、そうでない場合にはステップS408に移行する。
【００４６】
ステップS408では、番組送出手段103は、受信した管理情報に基づいて未送出の構成要素があるか否かを判断する。番組送出手段103は、未送出の構成要素が存在しないと判断した場合にはステップS407に移行し、未送出の構成要素が存在すると判断した場合にはステップS409に移行する。
【００４７】
ステップS409では、番組送出手段103は、内部に保有している時計から算出される放送開始時刻を原点とした相対時刻と、受信した管理情報とに基づいて未送出の構成要素の送出開始時刻に到達したか否かを判別する。番組送出手段103は、未送出の構成要素の送出時刻に到達したと判断した場合には、ステップS410に移行し、そうでない場合にはステップS408に移行する。
【００４８】
ステップS410では、番組送出手段103は、図２に示す番組素材の管理情報テーブル20の構成要素204が未送出である場合に、図５の編成情報の放送年月日501と図２の管理情報テーブル20の相対送出時刻207とで特定される2000年１月10日15時30分00秒に、構成要素204の番組素材の送出を開始する一方、現在時刻が2000年１月10日15時30分00秒に到達していない場合にはステップS408に移行する。
【００４９】
ここでは、番組制作手段101で制作される各番組素材に再放送可能であるか否かの視聴可否属性情報を設定しており、データ放送番組が再放送される際に、再放送可能である番組素材だけをその相対送出時刻順にバッファ上で１個のキューとして保持して、該当時刻に送出するようにしている。このことから、たとえば、上述の例では、図５に示すような編成情報に基づいた放送を行う際（番組の再放送）に、番組開始後55分が経過した時点で、構成要素205の送出を行わずに、構成要素204の送出を継続して行うように構成できる。
【００５０】
〈第２実施形態〉
本発明の第２実施形態のデジタル放送装置の概略構成を示す機能ブロック図を図６に示す。
【００５１】
このデジタル放送装置は、番組素材制作手段601、差替素材保持手段602、番組編成手段603、番組送出手段604を備えている。
【００５２】
番組素材制作手段601は、デジタル放送番組に付加してもしくは単独で放送することが可能なデータ放送番組であって、再放送可能な番組素材を制作し、これに対して再放送可能である旨の視聴制限属性を設定して、その番組素材を差替素材保持手段602に登録する。また、番組素材制作手段601は、デジタル放送番組に付加されてもしくは単独で放送可能なデータ放送番組を番組素材として制作し、再放送が可能であるか不可であるかを示す視聴制限属性を設定して、この視聴制限属性とともに各番組素材を番組送出手段604に登録する。
【００５３】
番組編成手段603は、データ放送番組を放送する際の編成情報を確定するものであって、データ放送番組が放送される前に、確定した編成情報を番組送出手段604に登録する。
【００５４】
番組送出手段604は、番組素材制作手段601から登録された番組素材に関して、番組編成手段603から登録された編成情報と、番組素材に設定されている視聴制限属性とに基づいて、放送が可能な番組素材であるか否かを判定し、再放送不可能である構成要素を含む場合には、差替素材保持手段602から再放送可能である構成要素の番組素材を取得する。このことにより、番組送出手段604は、再放送可能でない構成要素の番組素材を再放送可能な構成要素の番組素材に差し替えて、全ての構成要素が再放送可能になった番組素材を、その送出時刻順に保持し、放送開始時刻に到達した構成要素の番組素材を送出することで、データ放送番組の放送を実現することができる。
【００５５】
なお、この第２実施形態では、送出時間長を手掛かりとして差し替え可能な構成要素の番組素材を取得しているが、実際には、送出時間長だけではなく、画面構成などを考慮して差し替え可能な構成要素の番組素材を取得する必要がある。ここでは、この点についての詳述を行わないこととする。
【００５６】
なお、この差し替え可能な構成要素の番組素材は、常に差し替え可能であるように汎用的に制作されていても良い。この場合には、この差し替え可能な構成要素の番組素材の管理情報に、常に差し替え可能であることを示す情報項目を記載し、その情報項目を手掛かりとして差し替え可能な構成要素の番組素材を取得しても良い。これにより、送出時間長や画面構成などを考慮せずに差し替え可能な構成要素の番組素材を取得できる。
【００５７】
再放送不可能な番組素材がデータ放送番組の放送に影響を与えないように、再放送可能な番組素材に差し替える処理について、以下に説明する。
【００５８】
図７は、本発明の第２実施形態における番組素材制作手段が制作する、再放送可能な番組素材の管理情報テーブルの一例を示す。
【００５９】
この番組素材の管理情報テーブル70では、図２に示す管理情報テーブル20と同様に、番組素材名21、番組時間長22、構成要素名23、相対送出時刻24、視聴可否属性25、視聴期限26などの項目を有している。「予告編」という番組素材名701を有する番組素材は、「00:05:00」という番組時間長702、「続編予告」という構成要素名703、「00:00:00」という相対送出時刻704、「再放送可能」という視聴可否属性705を有している。
【００６０】
番組送出手段604によりデータ放送番組を放送する場合の動作を図８のフローチャートに基づいて説明する。
【００６１】
ステップS801では、番組送出手段604は、番組素材制作手段601によって制作された番組素材を受信する。たとえば、番組送出手段604は、番組素材制作手段601から図２の管理情報を有する番組素材を受信する。
【００６２】
ステップS802では、番組送出手段604は、番組編成手段603から編成情報を受信する。ここでは、番組送出手段604は、番組編成手段603から図５に示すような編成情報を受信する。
【００６３】
ステップS803では、番組送出手段604は、受信した編成情報と受信した番組素材の視聴制限属性とに基づいて、再放送可能でない構成要素の番組素材を検出する。たとえば、番組送出手段604は、図５の編集情報テーブル50中の放送年月日501と放送開始時刻502とで特定される2000年１月10日15時00分00秒において、図２の番組素材の管理情報テーブル20内における構成要素205の視聴期限212を過ぎており、構成要素205はこの時点で再放送不可能であることを検出する。
【００６４】
ステップS804では、番組送出手段604は、差替素材保持手段602に登録されている再放送可能な構成要素のうちから、図２の番組素材の管理情報テーブル20中の再放送可能でない構成要素と差し替えることが可能な構成要素の番組素材を取得する。たとえば、番組送出手段604は、図２の番組素材の管理情報テーブル20中において再放送不可能な構成要素の相対送出時刻208と番組時間長202とから構成要素205の送出時間長を５分と算出し、その送出時間長を手掛かりに、差替素材保持手段602から、番組時間長702を有する番組素材701の構成要素703の番組素材を取得する。ここでは、送出時間長を手掛かりとして差替可能な構成要素の番組素材を取得しているが、実際には送出時間長だけではなく、画面構成なども考慮して差し替え可能な構成要素の番組素材を取得する必要がある。ここでは、その詳細については記載しないこととする。
【００６５】
ステップS805では、番組送出手段604は、内部に保有している時計から取得した現在日時と受信した編成情報とに基づいて、放送開始時刻に至った再放送可能である構成要素の番組素材と、差替素材保持手段602から取得した構成要素の番組素材とを、その相対送出時刻順にバッファ上で１個のキューとして保持する。たとえば、番組送出手段604は、図５の編成情報テーブル50中の放送年月日501と放送開始時刻502とで特定される2000年１月10日の15時00分00秒に、図２の番組素材の管理情報テーブル20中における構成要素203,204および差替素材保持手段602が保持している番組素材名701の構成要素703の番組素材とを、その相対送出時刻順にバッファ上で１個のキューとして保持する。このとき、構成要素703が構成要素205と差し替えられており、その相対送出時刻は「00:55:00」として保持される。
【００６６】
ステップS806では、番組送出手段604は、内部に保有している時計から取得した現在日時と受信した編成情報に基づいて、放送開始時刻に到達した番組素材を取得する。たとえば、番組送出手段604は、放送年月日501と放送開始時刻502とで特定される2000年１月10日の15時00分00秒に、構成要素203〜204および構成要素703の番組素材を取得する。
【００６７】
ステップS807では、番組送出手段604は、相対送出時刻が「00:00:00」である構成要素に対応する番組素材の送出を開始する。ここでは、番組送出手段604は、構成要素203の番組素材の送出を開始する。
【００６８】
ステップS808では、番組送出手段604は、内部に保有している時計から算出される放送開始時刻を原点とした相対時刻と、受信した管理情報とに基づいて番組時間長を経過しているか否かを判別し、番組時間長を経過したと判断した場合には、現在送出している番組素材の送出を停止するとともに処理を終了する。たとえば、番組送出手段604は、番組素材の管理情報テーブル20中の番組時間長202を経過しているか否かを判断し、番組時間長202を経過していると判断した場合には、番組素材の送出を停止して処理を終了し、そうでない場合にはステップS809に移行する。
【００６９】
ステップS809では、番組送出手段604は、受信した管理情報に基づいて未送出の構成要素があるか否かを判断する。番組送出手段604は、未送出の構成要素が存在しないと判断した場合にはステップS808に移行し、未送出の構成要素が存在すると判断した場合にはステップS810に移行する。
【００７０】
ステップS810では、番組送出手段604は、内部に保有している時計から算出される放送開始時刻を原点とした相対時刻と、受信した管理情報とに基づいて未送出の構成要素の送出開始時刻に到達したか否かを判別する。番組送出手段604は、未送出の構成要素の送出時刻に到達したと判断した場合には、ステップS811に移行し、そうでない場合にはステップS808に移行する。
【００７１】
ステップS811では、番組送出手段604は、図２に示す番組素材の管理情報テーブル20の構成要素204が未送出である場合に、図５の編成情報の放送年月日501と図２の管理情報テーブル20の相対送出時刻207とで特定される2000年１月10日15時30分00秒に、構成要素204の番組素材の送出を開始する一方、現在時刻が2000年１月10日15時30分00秒に到達していない場合にはステップS809に移行する。また、例えば、番組送出手段604は、構成要素703が未送出である場合には、放送年月日501と放送開始時刻502とで特定される2000年１月10日の15時55分00秒に、構成要素703の番組素材の送出を開始し、2000年１月10日15時55分00秒に到達していない場合にはステップＳ809に移行する。
【００７２】
本発明の第１実施形態では、データ放送番組が再放送される場合に、再放送不可能な構成要素の番組素材が排除されて、再放送可能である構成要素の番組素材だけが送出されるのに対して、本発明の第２実施形態では、データ放送番組が再放送される場合に、再放送できない構成が、再放送可能である別の構成要素に差し替えられて送出される。
【００７３】
なお、再放送できない構成を差し替える、再放送可能である構成要素の番組素材とは、上記の通りに、再放送可能である別の番組素材である必要はなく、単なるダミーの番組素材であっても良い。
【００７４】
なお、番組素材の管理情報に、各構成要素の送出時間長が記載されていても良い。この場合は、この送出時間長を手掛かりとして差し替え可能な構成要素の番組素材を取得しても良い。これにより、番組素材の管理情報に基づいて相対送出時刻と番組時間長とから差し替え対象となる再放送不可能な構成要素の送出時間長を算出せずに、差し替え可能な構成要素の番組素材を取得できる。
【００７５】
〈第３実施形態〉
本発明の第３実施形態のデジタル放送装置の概略構成を示す機能ブロック図を図９に示す。
【００７６】
このデジタル放送装置は、番組素材制作手段901、差替素材保持手段902、本放送番組編成手段903、本放送番組送出手段904、再放送番組編成手段905、再放送番組送出手段906を備えている。
【００７７】
番組素材制作手段901は、デジタル放送番組に付加してもしくは単独で放送することが可能なデータ放送番組であって、再放送可能な番組素材を制作し、これに対して再放送可能である旨の視聴制限属性を設定して、その番組素材を差替素材保持手段902に登録する。また、番組素材制作手段901は、デジタル放送番組に付加されてもしくは単独で放送可能なデータ放送番組を番組素材として制作し、再放送が可能であるか不可であるかを示す視聴制限属性を設定して、この視聴制限属性とともに各番組素材を本放送番組送出手段904に登録する。さらに、番組素材制作手段901は、本放送番組送出手段904に登録した番組素材の管理情報を、再放送番組送出手段906に登録する。
【００７８】
本放送番組編成手段903は、データ放送番組を放送する際の編成情報を確定するものであって、データ放送番組が本放送される前に、確定した編成情報を本放送番組送出手段904に登録する。
【００７９】
本放送番組送出手段904は、番組素材制作手段901から登録された番組素材をその送出時刻順に保持し、本放送番組編成手段903から登録された編成情報に基づいて、放送開始時刻に到達した構成要素の番組素材を送出することにより、データ放送番組の本放送を実現する。さらに、本放送番組送出手段904は、放送したデータ放送番組をTS（Transport Stream）として記録し、記録したTSを再放送番組送出手段906に登録する。
【００８０】
再放送番組編成手段905は、データ放送を再放送する際の編成情報を確定するものであって、データ放送番組が再放送される前に、確定した編成情報を再放送番組送出手段906に登録する。
【００８１】
再放送番組送出手段906は、本放送番組送出手段904から登録されたTSに関して、再放送番組編成手段905から登録された編成情報とTSの番組素材に設定されている視聴制限属性とに基づいて、再放送が可能な番組素材であるか否かを判定し、再放送不可能である構成要素を含む場合には、差替素材保持手段902から再放送可能である構成要素の番組素材を取得する。ここでは、再放送番組送出手段906は、取得した構成要素の番組素材をパケット化することで、再放送可能でない構成要素のパケットデータを再放送可能な構成要素のパケットデータに差し替え、全ての構成要素が再放送可能となったTSを放送開始時刻に至った時点で送出することで、データ放送番組の再放送を実現することができる。
【００８２】
再放送番組送出手段906が再放送不可能な構成要素の番組素材を再放送可能な構成要素の番組素材に差し替えてデータ放送番組の放送を行う処理を図10のフローチャートに基づいて説明する。
【００８３】
ステップS1001では、再放送番組送出手段906は、番組素材制作手段901によって制作された番組素材の管理情報を受信する。たとえば、番組送出手段906は、番組素材制作手段901から図２に示される番組素材の管理情報を受信する。
【００８４】
ステップS1002では、再放送番組送出手段906は、再放送番組編成手段905から編成情報を受信する。ここでは、再放送番組送出手段906は、再放送番組編成手段905から図５に示すような編成情報を受信する。
【００８５】
ステップS1003では、再放送番組送出手段906は、本放送番組送出手段904から、本放送したデータ放送番組が記録されたTSを受信する。たとえば、再放送番組送出手段906は、図２の管理情報テーブル20で示される番組素材が本放送された際のデータ放送番組を記録したTSを受信する。
【００８６】
ステップS1004では、再放送番組送出手段906は、再放送番組編成手段905から受信した編成情報と番組素材制作手段901から受信した番組素材の視聴制限属性とに基づいて、再放送可能でない構成要素の番組素材を検出する。たとえば、再放送番組送出手段906は、図５の編集情報テーブル50中の放送年月日501と放送開始時刻502とで特定される2000年１月10日15時00分00秒において、図２の番組素材の管理情報テーブル20内における構成要素205の視聴期限212を過ぎており、構成要素205はこの時点で再放送不可能であることを検出する。
【００８７】
ステップS1005では、再放送番組送出手段906は、差替素材保持手段902に登録されている再放送可能な構成要素のうちから、図２の番組素材の管理情報テーブル20中の再放送可能でない構成要素と差し替えることが可能な構成要素の番組素材を取得してパケット化する。たとえば、再放送番組送出手段906は、図２の番組素材の管理情報テーブル20中において再放送不可能な構成要素の相対送出時刻208と番組時間長202とから構成要素205の送出時間を５分と算出し、その送出時間長を手掛かりに、差替素材保持手段902から、番組時間長702を有する番組素材701の構成要素703の番組素材を取得してパケット化する。
【００８８】
ステップS1006では、再放送番組送出手段906は、再放送不可能である構成要素のパケットデータを、差替素材保持手段902から取得した構成要素の番組素材をパケット化したパケットデータと差し替える。たとえば、再放送番組送出手段906は、図２の番組素材の管理情報テーブル20中において再放送不可能な構成要素の相対送出時刻208と番組時間長202と、本放送番組送出手段904から受信したTSのビットレートとから、構成要素205のパケットデータの送出時間長を算出し、そのパケットデータを構成要素703の番組素材をパケットしたパケットデータと差し替える。
【００８９】
ステップS1007では、再放送番組送出手段906は、内部に保有している時計から取得した現在日時と受信した編成情報に基づいて、全ての構成要素が再放送可能となったTSを、放送開始時刻に到達した時点で送出する。たとえば、再放送番組送出手段906は、放送年月日501と放送開始時刻502とで特定される2000年１月10日の15時00分00秒に、構成要素203〜204および構成要素703のパケットデータで構成されるTSを送出する。
【００９０】
なお、差し替え対象となるパケットデータの算出にあたっては、本放送番組送出手段904から登録されたTSを受信する際に、再放送番組送出手段906が各パケットに受信時の時刻を付与しておき、これを基づいて差し替え対象のパケットを特定することも可能である。
【００９１】
また、再放送番組送出手段906は、本放送番組送出手段904から登録されたTSに関して、再放送可能でない構成要素のパケットデータを、事前に再放送可能な構成要素のパケットデータに差し替える代わりに、放送開始時刻に到達した時点で放送する際、再放送不可能な構成要素を検出して、再放送可能な構成要素のパケットデータに差し替えながら送出することで、データ放送番組の再放送を実現することも可能である。この場合には、図10のフローチャートにおいて、ステップS1003でTSを受信した後、放送開始時刻に到達した時点で、再放送不可能な構成要素を検出し（ステップS1004）、差替素材保持手段902から取得した再放送可能である構成要素の番組素材をパケット化し（ステップS1005）、再放送不可能な構成要素のパケットデータを差し替えながらTSを送出する（ステップS1007）。
【００９２】
また、第２実施形態と同様に、再放送できない構成要素の番組素材を差し替える、再放送可能である構成要素のパケットデータとは、再放送可能である別のパケットデータである必要はなく、単なるダミーのパケットデータとすることが可能である。
【００９３】
〈他の実施形態〉
（Ａ）データ放送番組の視聴制限属性として、放送回数による放送の可・不可を設定するように構成できる。たとえば、番組素材の管理情報中に視聴制限属性として、視聴可能回数の項目を設けておき、デジタル放送番組に付加されてもしくは単独で放送される毎に、この視聴可能回数の値を１ずつ減算していく。視聴可能回数の値が'0'となった番組素材は、放送不可であると判断して、データ放送番組として選択しないように構成する。
【００９４】
再放送が可能なデータ放送番組については、視聴可能回数の値として設定できる最大値（たとえば、'9999'）としておくことで、デジタル放送番組に付加されてもしくは単独で放送されるデータ放送番組として常に選択可能なものとして設定することができる。
（Ｂ）データ放送番組の視聴制限属性として、地域による放送の可・不可を設定するように構成できる。たとえば、番組素材の管理情報中に視聴制限属性として、視聴可能地域の項目を設けておき、この視聴可能地域に放送可能な地域コードを設定しておく。このように構成することにより、ローカル局においてデータ放送番組を放送する際に、地域に関連性のないデータ放送番組を他の適切な番組に差し替えて放送することが可能となる。
【産業上の利用可能性】
【００９５】
本発明は、データ放送番組の再放送に適用することができる。再放送時に視聴されるべきでない内容を含むデータ放送番組を再放送する際に、番組素材に手を加えることなく、実際には視聴されることのできないデータ放送番組が放送されるのを防止し、再放送時における放送波帯域を有効に活用することが可能となる。
【図面の簡単な説明】
【００９６】
【図１】本発明の第１実施形態に係るデジタル放送装置の概略構成を示すブロック図。
【図２】番組素材の管理情報テーブルの一例を示す説明図。
【図３】編成情報テーブルの一例を示す説明図。
【図４】第１実施形態のフローチャート。
【図５】編成情報の一例を示す説明図。
【図６】第２実施形態に係るデジタル放送装置の概略構成を示すブロック図。
【図７】番組素材の管理情報の一例を示す説明図。
【図８】第２実施形態のフローチャート。
【図９】第３実施形態に係るデジタル放送装置の概略構成を示すブロック図。
【図１０】第３実施形態のフローチャート。
【図１】
2005295525.tif 000003
【図２】
2005295525.tif 000004
【図３】
2005295525.tif 000005
【図４】
2005295525.tif 000006
【図５】
2005295525.tif 000007
【図６】
2005295525.tif 000008
【図７】
2005295525.tif 000009
【図８】
2005295525.tif 000010
【図９】
2005295525.tif 000011
【図１０】
2005295525.tif 000012